(57)【要約】【課題】  一連に束ねられた複数個のプレミアムからベタ付け用粘着材面が露出した個々のプレミアムを順次かつ容易に得ることができ、かつその後のベタ付け作業を効率的に行うことができるベタ付けプレミアムおよびベタ付け方法を提供することにある。【解決手段】  剥離紙付き粘着材を施したベタ付け用プレミアムの複数個を配列し、この配列方向に適用したサポートテープの粘着テープ面で上記の複数個のベタ付け用プレミアムの剥離紙付き粘着材を一連に連結したことを特徴とするサポートテープ付きベタ付け用プレミアム。【選択図】  図３
2005088963.tif 000002
【特許請求の範囲】
【請求項１】
剥離紙付き粘着材を施したベタ付け用プレミアムの複数個を配列し、この配列方向に適用したサポートテープの粘着テープ面で上記の複数個のベタ付け用プレミアムの剥離紙付き粘着材を一連に連結したことを特徴とするサポートテープ付きベタ付け用プレミアム。
【請求項２】
サポートテープの粘着テープ面の長さ方向に沿ってベタ付け用プレミアムの複数個が相並んで配列され、各ベタ付け用プレミアムはその剥離紙付き粘着材の剥離紙でサポートテープの粘着テープ面に連結されている請求項１記載のベタ付け用プレミアム。
【請求項３】
個々のプレミアムの一部に夫々剥離紙付き粘着材を施したベタ付け用プレミアムのグループを、各プレミアムの剥離紙付き粘着材が表面に相並んで臨むように重ね配列し、上記の表面に相並んで配列された剥離紙付き粘着材のグループを上記の重ね配列方向に適用したサポートテープの粘着テープ面で一連に連結したことを特徴とするサポートテープ付きベタ付け用プレミアム。
【請求項４】
サポートテープの粘着テープ面の長さ方向に沿ってベタ付け用プレミアムの複数個が順次重ね配列され、各ベタ付け用プレミアムはその剥離紙付き粘着材の剥離紙でサポートテープの粘着テープ面に連結されている請求項３記載のベタ付け用プレミアム。
【請求項５】
サポートテープを引き剥がすことにより剥離紙が該サポートテープの粘着テープ面に群状に剥ぎ取られ、粘着材が表面に露出した群状のプレミアムが個々に分離して得られ個々のプレミアムがベタ付け用に供される請求項１から４までのいずれか１項記載のベタ付け用プレミアム。
【請求項６】
サポートテープの粘着テープ面に剥離紙が夫々連結されているベタ付け用プレミアムを該サポートテープより順次引き剥がすことにより粘着材が表面に露出した個々のプレミアムに分離され、これらがベタ付け用に供される請求項１から４までのいずれか１項記載のベタ付け用プレミアム。
【請求項７】
ベタ付け用のプレミアムがティシュペーパーまたはトイレットペーパー等の包装体にベタ付けして用いられる請求項１から６までのいずれか１項記載のベタ付け用プレミアム。
【請求項８】
ティシュペーパーおよびトイレットペーパー等の包装体その他の対象物にベタ付けするためにサポートテープによって一連に重ねられたプレミアムであって、個々のプレミアム上の剥離紙付き粘着材の剥離紙がサポートテープの粘着テープ面に連結されていることを特徴とするサポートテープ付きベタ付け用プレミアム。
【請求項９】
請求項８記載のサポートテープ付きベタ付け用プレミアムを用い、そのサポートテープを引き剥がすことによって剥離紙が剥がれ粘着材が露出したプレミアムを得て、このプレミアをそのまま対象物に当てることでべタ付けを完了するプレミアムのベタ付け方法。
【発明の詳細な説明】
【技術分野】
【０００１】
本発明はティシュペーパー、トイレットペーパー等の包装体その他の対象物にベタ付けするためのプレミアム(premium)に関するものである。
【背景技術】
【０００２】
トイレットペーパー等の家庭紙の包装体の外側に、プレミアム（おまけ、試供品などの付加物）品をベタ付けするには、包装体の内容物が変形しやすいこともあり、生産ラインスピードを落とすなどの対応が必要であった。また、包装体の種類や貼付位置も多彩で、精度も要求されることから、機械化には限界があるが、人手で行おうとする場合には、個々のプレミアムに両面テープを貼着した後に剥離紙を剥がしたり、接着剤を塗工するのに手間取り、生産性が損なわれていた。
そこで、ティッシューやトイレットペーパーなどの包装体にベタ付けするために一連に束ねられたプレミアムが望まれる。
【０００３】
これに対して複数個一括包装体として複数個の食品包装体を、隣接する包装体を所定範囲の間隔ずつ同一方向にずらしながら積層し、該積層包装体を、包装体をずらした方向に沿って粘着テープで少なくとも１回周回し、粘着テープとラベルを組み合わせ、または糊付けをしてなる複数個一括包装体が知られている。
【特許文献１】実開平０７−１５５６２号公報
【発明の開示】
【発明が解決しようとする課題】
【０００４】
一連に束ねられた複数個のプレミアムからベタ付け用粘着材面が露出した個々のプレミアムを順次かつ容易に得ることができ、かつその後のベタ付け作業を効率的に行うことができるベタ付けプレミアムおよびベタ付け方法を提供することにある。
【課題を解決するための手段】
【０００５】
本発明は剥離紙付き粘着材を施したベタ付け用プレミアムの複数個を配列し、この配列方向に適用したサポートテープの粘着テープ面で上記の複数個のベタ付け用プレミアムの剥離紙付き粘着材を一連に連結したことを特徴とする。
上記においてサポートテープの粘着テープ面の長さ方向に沿ってベタ付け用プレミアムの複数個が相並んで配列され、各ベタ付け用プレミアムはその剥離紙付き粘着材の剥離紙でサポートテープの粘着テープ面に連結されている構成をとることができる。
【０００６】
本発明は個々のプレミアムの一部に夫々剥離紙付き粘着材を施したベタ付け用プレミアムのグループを、各プレミアムの剥離紙付き粘着材が表面に相並んで臨むように重ね配列し、上記の表面に相並んで配列された剥離紙付き粘着材のグループを上記の重ね配列方向に適用したサポートテープの粘着テープ面で一連に連結したことを特徴とする。
上記においてサポートテープの粘着テープ面の長さ方向に沿ってベタ付け用プレミアムの複数個が順次重ね配列され、各ベタ付け用プレミアムはその剥離紙付き粘着材の剥離紙でサポートテープの粘着テープ面に連結されている構成をとることができる。
【０００７】
また上記においてサポートテープを引き剥がすことにより剥離紙が該サポートテープの粘着テープ面に群状に剥ぎ取られ、粘着材が表面に露出した群状のプレミアムが個々に分離して得られ個々のプレミアムがベタ付け用に供される構成、サポートテープの粘着テープ面に剥離紙が夫々連結されているベタ付け用プレミアムを該サポートテープより順次引き剥がすことにより粘着材が表面に露出した個々のプレミアムに分離され、これらがベタ付け用に供される構成、ベタ付け用のプレミアムがティシュペーパーまたはトイレットペーパー等の包装体にベタ付けして用いられる構成を包含する。
【０００８】
本発明はティシュペーパーおよびトイレットペーパー等の包装体その他の対象物にベタ付けするためにサポートテープによって一連に重ねられたプレミアムであって、個々のプレミアム上の剥離紙付き粘着材の剥離紙がサポートテープの粘着テープ面に連結されていることを特徴とする。
【０００９】
また本発明はサポートテープ付きベタ付け用プレミアムを用い、そのサポートテープを引き剥がすことによって剥離紙が剥がれ粘着材が露出したプレミアムを得て、このプレミアをそのまま対象物に当てることでべタ付けを完了するプレミアムのベタ付け方法を提供する。
【発明の効果】
【００１０】
ティッシューやトイレットペーパーなどの包装体にベタ付けするために一連に束ねられたプレミアムで、個々のプレミアム上の剥離紙付き粘着材が粘着テープからなるサポートテープにより連結されている。
ベタ付け作業では、サポートテープを引き剥がすことにより、剥離紙がはがれ、粘着材が露出したプレミアムが得られるので、これをそのまま対象物に当てることでベタ付けが完了する。
（１）サポートテープを引き剥がすことにより、所定間隔で整列している複数のプレミアムを容易に得ることができ、その後のベタ付け作業が効率的に行うことができる。
（２）複数種類のプレミアムの併用作業中でもプレミアムの整理が容易であり、散逸が回避できる。
【発明を実施するための最良の形態】
【００１１】
以下に本発明の実施例を図面を用いて説明するが、本発明はこれのみに制約されるものではない。
【実施例１】
【００１２】
図１のＡ，Ｂはプレミアムのベタ付けされた包装体の例示図で、Ａは複数個のトイレットペーパーロール（１）を縦方向に上下３段（計１２個）透明性プラスチック筒状袋（２）に収容し、その包装袋（２）の外面にプレミアム（３）をベタ付けた例を示し、Ｂは複数個のティシュペーパーボックス（１’）を上下に段設（５段）し透明性プラスチック包装袋（２）に収容し、この包装袋（２）の外面にプレミアム（３）をベタ付けした例を示している。
【００１３】
図２のＡ，Ｂ，Ｃは従来のプレミアムのベタ付け方法をトイレットペーパーロール包装体に適用した例で示している。
先ずＡで示すように粘着材（４）の施されたプレミアム（３）に剥離紙（５）を施したものまたは両面テープをカットして貼付したものを準備し、次いでＢに示すように各プレミアム（３）の剥離紙（５）を１つ１つ剥離してＣに示すようにこの粘着材（４）を表面に露出したプレミアム（３）を順次包装体に適用してベタ付けを行っている。
【００１４】
図３は本発明のサポートテープ付きベタ付けプレミアムおよびそのベタ付け方法を示したもので、図２のＢに対応する剥離紙（５）付き粘着材（４）（粘着材の表面は剥離紙で覆われている）を施したプレミアム（３）を粘着材を覆った剥離紙（５）が表面に露出して相並ぶように多数個相重ねて配列する。
そしてその相重ねて配列した多数個のプレミアム（３）の配列方向に沿ってサポートテープ（クラフトテープなどの粘着テープ）（商品名ガムテープ）（６）を全部の剥離紙（５）を横切るように適用し、このサポートテープ（６）の粘着テープ面を配列された全プレミアム（３）の剥離紙（５）に接着連結することにより、サポートテープ（６）によって一連に束ねられたプレミアム（３）の群（７）（図示では１６個のプレミアムからなる）が得られる。
このように一連に束ねられたプレミアム群（７）を多数準備する（プレミアム群（７）として一連束ねられるプレミアム数は作業目的に対応して適宜に増減できることは言うまでもない）。
【００１５】
このように準備されたプレミアム群（７）をベタ付き作業現場で図３のＢのようにサポートテープ（６）を剥がすと、全プレミアム（３）の剥離紙（５）がサポートテープ（６）の粘着面に付着してプレミアム（３）の粘着材（４）の面から一斉に剥ぎ取られ、表面に粘着材（４）が露出した多数のプレミアム（３）が整然と相並んだ分離状態で得られる。
そこでこの個々のプレミアム（３）を図２のＣの如くベタ付けすることにより、ベタ付け作業が効率的に進行する。
【００１６】
図４のＡは図３のＡのサポートテープ（６）の長手方向に沿った断面でサポートテープ（６）の粘着テープ面が重ね配列された多数のプレミアム（３）の近接して相並んでいるそれらの剥離紙（５）上に選択的に接着連結されている状態を示している。
図４のＢは図３のＡから図３のＢへ移行する過程で、サポートテープ（６）の剥離に伴ってプレミアム（３）の粘着材（４）を覆っている剥離紙（５）が順次サポートテープ（６）の粘着テープ面に剥ぎ取られて行く状態を示している。
【産業上の利用可能性】
【００１７】
多数の対象物にプレミアムその他の添付品を流れ作業的に順次ベタ付けする用途に広く適用できる。
【図面の簡単な説明】
【００１８】
【図１】プレミアムをベタ付けした包装体の斜視図である。
【図２】従来のベタ付け方法の説明図である。
【図３】本発明のサポートテープ付きベタ付けプレミアムおよびそのベタ付け方法を示す説明図である。
【図４】図３のＡおよび図３のＡから図３のＢへの移行中間の各断面図である。
【符号の説明】
【００１９】
１……トイレットペーパーロール
１’……ティシュペーパーボックス
２……包装袋
３……プレミアム
４……粘着材
５……剥離紙
６……サポートテープ
７……一連に束ねられたプレミアム群
【図１】
2005088963.tif 000003
【図２】
2005088963.tif 000004
【図３】
2005088963.tif 000005
【図４】
2005088963.tif 000006